(57)【特許請求の範囲】
【請求項１】
ユーザに所持され、ドアの施解錠に使用される電子キーがそれぞれ固有に持つＩＤコードを記憶するアドレスを有するＩＤコード記憶手段と、前記ＩＤコード記憶手段に各ＩＤコードを登録又は抹消させるＩＤコード登録・抹消手段と、電子キーのＩＤコードが、前記ＩＤコード記憶手段に登録されているいずれかのＩＤコードと一致したことを条件としてドアの施解錠を許可するドア施解錠制御手段とを備えたドア施解錠制御装置において、
前記ＩＤコード登録・抹消手段に電気的に接続され、電子キーのＩＤコードを登録又は抹消させるアドレスをユーザに選択的に指定させるアドレス指定手段と、
前記アドレスに記憶させたＩＤコードの当該アドレスへの登録、及び、前記アドレスに登録済のＩＤコードの抹消を確定させるＩＤコード登録・抹消確定手段と、を備え、
前記アドレス指定手段は、前記各アドレスに対応させて設けるとともに、ユーザがオンオフ状態を目視で視認可能としたオンオフスイッチであり、
前記オンオフスイッチをオンにしたアドレスへの前記ＩＤコードの登録又は抹消を許可する一方、オフにしたアドレスへの前記ＩＤコードの登録又は抹消を禁止するようにし、
前記オンオフスイッチをオンにしたアドレスについては、前記ＩＤコード登録・抹消確定手段を操作することによって、当該記憶させたＩＤコードの登録を確定させるとともに、登録済のＩＤコードの抹消を確定させるようにし、
前記オンオフスイッチをオフにしたアドレスについては、前記ＩＤコード登録・抹消確定手段の操作により、当該アドレスの抹消操作がなされても、当該アドレスへのＩＤコードの登録を保持させるようにしたことを特徴とするドア施解錠制御装置。
【請求項２】
請求項１に記載のドア施解錠制御装置において、
前記オンオフスイッチは、前記各アドレスに対応するとともに、オンの位置及びオフの位置間で変位し、所定のアドレスに対応する前記オンオフスイッチがオンの位置にあるときは、当該所定のアドレスへのＩＤコードの登録又は抹消が許可され、一方、所定のアドレスに対応する前記オンオフスイッチがオフの位置にあるときは、当該所定のアドレスへのＩＤコードの登録又は抹消が禁止されることを特徴とするドア施解錠制御装置。
【請求項３】
請求項２に記載のドア施解錠制御装置において、
前記ＩＤコード登録・抹消確定手段は登録ボタンであって、前記登録ボタンを短押し操作することにより、前記電子キーの登録又は抹消を確定させる一方、前記登録ボタンを長押し操作することにより、前記電子キーの登録又は抹消を行うための登録・抹消モードとすることを特徴とするドア施解錠制御装置。
【請求項４】
請求項１〜請求項３のいずれかに記載のドア施解錠制御装置において、
前記各電子キーにそれぞれ管理記号を対応させるようにし、しかも、該管理記号を各アドレス毎に報知する報知手段を備えているドア施解錠制御装置。
【請求項５】
請求項４に記載のドア施解錠制御装置において、
前記報知手段は、前記電子キーがドアの施解錠に使用された際に前記管理記号を報知するようにしたドア施解錠制御装置。
【発明の詳細な説明】
【技術分野】
【０００１】
本発明は、住宅等に設けられ、ドアの施解錠を制御するドア施解錠制御装置に関する。
【背景技術】
【０００２】
従来より、住宅に居住する家族の構成員としてのユーザが所持する電子キー（電子キー）と、当該住宅に設けられ、ドアの施解錠を制御するドア施解錠制御装置との間で双方向の無線通信が行なわれ、該通信に基づいてドアの施解錠を自動的に許可するようにした電子キーシステムについて開発がなされている。
【０００３】
このようなドア施解錠制御装置には、各電子キーに固有に設定されたＩＤコードが記憶（登録）される（各電子キーが登録される）複数のアドレスを有するＩＤコード記憶メモリが設けられている。
【０００４】
そして、前記電子キーシステムでは、住宅のドアを施解錠させる際に、前記無線通信によって当該電子キーのＩＤコードと前記ＩＤコード記憶メモリの各アドレスに予め登録されたＩＤコードとの照合が行なわれ、両ＩＤコードが一致したことを条件としてドアの施解錠が許可されるようになっている（例えば、特許文献１参照）。
【特許文献１】特開平１０−１８６６０号公報
【発明の開示】
【発明が解決しようとする課題】
【０００５】
しかしながら、このドア施解錠制御装置では、例えば、ユーザが電子キーを紛失し、その電子キーの登録を抹消（電子キーのＩＤコードをアドレスから消去）する場合において、ＩＤコード記憶メモリから一旦全ての電子キーの登録を抹消した後、改めて登録を行う全ての電子キーを準備した上で、再登録する必要がある場合があり、ユーザにとって非常に煩わしい操作内容となっていた。
【０００６】
一方、アドレス番号で識別されたアドレス毎に電子キーを逐次登録させる技術も存在するが、この場合、電子キーを登録又は抹消しようとするアドレスを指定した後に当該アドレスにＩＤコードを登録又は抹消する必要がある。このような場合、例えば、ＬＥＤ（発光ダイオード）等を用いて、当該アドレス番号を表示させながら、電子キーを逐次登録又は抹消させていく操作が煩わしいものとなる上に、さらに、あるアドレスに既に登録されている電子キーの変更を望まないときには、ボタン操作等により当該アドレスをスキップすることで新たな電子キーの登録を避ける必要があり、さらに操作を複雑なものとしていた。
【０００７】
本発明は、上記問題点を解決するためになされたものであって、その目的は、ユーザが所持する電子キーの登録又は抹消が簡単且つ確実に行えるドア施解錠制御装置を提供することにある。
【課題を解決するための手段】
【０００８】
上記問題点を解決するために、請求項１に記載の発明は、ユーザに所持され、ドアの施解錠に使用される電子キーがそれぞれ固有に持つＩＤコードを記憶するアドレスを有するＩＤコード記憶手段と、前記ＩＤコード記憶手段に各ＩＤコードを登録又は抹消させるＩＤコード登録・抹消手段と、電子キーのＩＤコードが、前記ＩＤコード記憶手段に登録されているいずれかのＩＤコードと一致したことを条件としてドアの施解錠を許可するドア施解錠制御手段とを備えたドア施解錠制御装置において、前記ＩＤコード登録・抹消手段に電気的に接続され、電子キーのＩＤコードを登録又は抹消させるアドレスをユーザに選択的に指定させるアドレス指定手段をさらに備えていること、を要旨とする。
【０００９】
同構成によれば、一部の電子キー（ＩＤコード）のみの登録又は抹消を望む場合において、アドレス指定手段によって、電子キーの登録又は抹消を行うアドレスを予め指定しておくことで、一部の電子キーのみの登録又は抹消を選択的に行うことができる。これにより、ＩＤコード記憶メモリから一旦全ての電子キーの登録を抹消した後、改めて登録を行う全ての電子キーを準備した上で、再登録する必要性がなくなる。また、アドレス指定手段によって、電子キーの登録又は抹消を行うアドレスを予め指定しておくことで、複数のアドレスについて電子キーの抹消又は登録を纏めて行うことができるようになる。これにより、各アドレス毎に電子キーを逐次登録又は抹消させていく操作や、あるアドレスに既に登録されている電子キーの変更（更新及び抹消）を望まないときには、ボタン操作等により当該アドレスをスキップする操作の煩わしさからも開放される。以上により、電子キーの登録又は抹消を行う操作が簡単且つ確実に行えるようになる。
【００１１】
また、アドレス指定手段として、各アドレスに対応させて設けたオンオフスイッチを用いるので、オンオフスイッチをオンとしたアドレス、即ち、電子キー（ＩＤコード）の登録又は抹消が可能なアドレスと、オンオフスイッチをオフにしたアドレス、即ち、電子キーの登録又は抹消が不可のアドレスとを容易且つ明瞭に識別して表示することができる。
【００１３】
また、オンオフスイッチをオンにしたアドレスについては、電子キーのＩＤコードを順次記憶させた後にＩＤコード登録・抹消確定手段を操作することにより当該記憶させたＩＤコードの登録を確定させる一方、前回登録済のＩＤコードの抹消を確定させることができる。このため、ＩＤコード記憶手段の各アドレスへの電子キーの登録又は抹消の操作を一連の操作で簡単に行えるようになる。
【００１５】
また、オンオフスイッチをオフにしたアドレスについては、ＩＤコード登録・抹消確定手段の操作により、当該アドレスの抹消（更新）操作がなされても、当該アドレスへのＩＤコードの登録を保持させることができる。従って、各アドレスへの電子キーの登録又は抹消を、同一のＩＤコード登録・抹消確定手段を通じて可能とした場合であっても、オンオフスイッチをオフにしたアドレスについては誤ってアドレスが上書きされることが抑制される。
【００１６】
請求項２に記載の発明は、前記オンオフスイッチは、前記各アドレスに対応するとともに、オンの位置及びオフの位置間で変位し、所定のアドレスに対応する前記オンオフスイッチがオンの位置にあるときは、当該所定のアドレスへのＩＤコードの登録又は抹消が許可され、一方、所定のアドレスに対応する前記オンオフスイッチがオフの位置にあるときは、当該所定のアドレスへのＩＤコードの登録又は抹消が禁止されること、を要旨とする。
同構成によれば、アドレス指定手段として、各アドレスに対応させた各スイッチを用いる。オンオフスイッチをオンとしたアドレス、即ち、電子キー（ＩＤコード）の登録又は抹消が可能なアドレスと、オンオフスイッチをオフにしたアドレス、即ち、電子キーの登録又は抹消が不可のアドレスとを容易且つ明瞭に識別して表示することができる。
請求項３に記載の発明は、前記ＩＤコード登録・抹消確定手段は登録ボタンであって、前記登録ボタンを短押し操作することにより、前記電子キーの登録又は抹消を確定させる一方、前記登録ボタンを長押し操作することにより、前記電子キーの登録又は抹消を行うための登録・抹消モードとすること、を要旨とする。
同構成によれば、登録ボタンを長押し操作することで電子キーの登録又は抹消を確定させることができる。また、同一の登録ボタンを短押し操作することで電子キーの登録又は抹消を行うための登録・抹消モードとすることができる。
請求項４に記載の発明は、請求項１〜請求項３のいずれかに記載のドア施解錠制御装置において、前記各電子キーにそれぞれ管理記号を対応させるようにし、しかも、該管理記号を各アドレス毎に報知する報知手段を備えていること、を要旨とする。
【００１７】
同構成によれば、ＩＤコード記憶手段の各アドレス毎に登録されている電子キーの管理記号が報知されるので、いずれのアドレスにどの電子キーが登録済であるかを確実に認識できるようになる。このため、例えば、あるアドレスに登録済の電子キーを誤って抹消してしまう誤操作を的確に防止できる。
【００１８】
請求項５に記載の発明は、請求項４に記載のドア施解錠制御装置において、前記報知手段は、前記電子キーがドアの施解錠に使用された際に前記管理記号を報知するようにしたこと、を要旨とする。
【００１９】
同構成によれば、電子キーがドアの施解錠に使用される際に当該電子キーの管理記号が報知されるので、いずれのアドレスにどの電子キーが登録済であるかをさらに確実に認識できるようになる。
【発明の効果】
【００２０】
本発明によれば、ユーザが所持する電子キーの登録又は抹消が簡単且つ確実に行えるようになる。
【発明を実施するための最良の形態】
【００２１】
以下、本発明を具体化した実施形態について図面に従って説明する。
図１を参照して、本実施形態のドア施解錠制御システム１は、住宅の玄関ドア（ドア）に設けられるものであり、該住宅に居住する複数のユーザが各々所持する電子キー２，…と、住宅側に設けられるドア施解錠制御装置３とを備えている。そして、該電子キー２とドア施解錠制御装置３との間で双方向の無線通信がなされて相互に認証（ＩＤ照合）が行われ、該認証結果に基づいて当該玄関ドアの施解錠制御が行われる。
【００２２】
前記各電子キー２は、前記ドア施解錠制御装置３から送信される所定周波数（ここでは、ＬＦ帯）の起動用電波を介して電力を受け取るトランスポンダ２１を備えており、該受領した電力を用い、各電子キー２に固有に設定されたＩＤコード（認証用コード）を含む信号（ＩＤコード信号）を当該ドア施解錠制御装置３に無線で送信する。
【００２３】
一方、前記ドア施解錠制御装置３は、住宅の玄関ドアの内部に収容されるコントローラ３０、並びに、該コントローラ３０に電気的に接続されるとともに、該玄関ドアの屋外側に設けられ、前記各電子キー２から送信される電波を受信する屋外アンテナユニット４０、及び、該玄関ドアの近傍の屋内（室内）側壁面に設けられる室内操作盤５０を備えている。
【００２４】
詳しくは、前記コントローラ３０は、コントローラ用ＣＰＵ３１と、該ＣＰＵ３１に電気的に接続され、当該コントローラ３０が収容されている玄関ドアの施解錠に使用可能な正規の電子キー２，…がそれぞれ固有に持つＩＤコードを記憶するアドレス（図１では図示せず）を有するＩＤコード記憶手段としてのＥＥＰＲＯＭ３２とを備えている。尚、本実施形態では、正規の電子キー２，…として８個（複数）の電子キー２を使用し、このコントローラ用ＣＰＵ３１で管理させる。以下、説明の便宜上、これら８個の正規の電子キー２，…をそれぞれ電子キー２ａ〜２ｈと呼ぶとともに、電子キー２ａ〜２ｈのＩＤコードと同一のＩＤコードをＩＤコードＡ〜Ｈとする。また、前記コントローラ用ＣＰＵ３１では、前記電子キー２ａ〜２ｈ（ＩＤコードＡ〜Ｈ）をそれぞれ管理番号（管理記号）２〜８に対応させて管理するものとする。
【００２５】
前記コントローラ３０は、前記コントローラ用ＣＰＵ３１に電気的に接続され、該ＣＰＵ３１で生成される施解錠指令信号（施錠指令信号、解錠指令信号）が入力されるモータドライバ３４及びモータドライバ３５をさらに備えている。そして、前記コントローラ３０には、前記モータドライバ３４及びモータドライバ３５を介して、玄関ドアに設けられ、その施解錠を行うメイン電動サムターン３６及びサブ電動サムターン３７が電気的に接続されている。そして、前記施解錠指令信号が各モータドライバ３４，３５に出力されることで前記コントローラ用ＣＰＵ３１によってメイン電動サムターン３６及びサブ電動サムターン３７の動作が制御されるようになっている。尚、このメイン電動サムターン３６及びサブ電動サムターン３７には、それぞれ、当該各サムターン３６，３７が解錠状態及び施錠状態である場合に各々オンとなる解錠状態検出スイッチ及び施錠状態検出スイッチ（図示せず）が内蔵されている。そして、該各スイッチから前記コントローラ用ＣＰＵ３１に解錠状態及び施錠状態を示す信号（解錠状態信号、施錠状態信号）が送信されるようになっている。
【００２６】
前記コントローラ用ＣＰＵ３１には、前記屋外アンテナユニット４０にそれぞれ内蔵され、玄関ドアが解錠状態（各サムターン３６，３７がいずれも解錠状態の場合）であることを表示する解錠状態報知用ＬＥＤ４３と、玄関ドアが施錠状態（各サムターン３６，３７がいずれも施錠状態の場合）であることを表示する施錠状態報知用ＬＥＤ４４とが電気的に接続されている。さらに、前記コントローラ３０は、前記コントローラ用ＣＰＵ３１に電気的に接続され、音声信号を生成する音声回路３８を備えている。そして、前記コントローラ用ＣＰＵ３１には、前記音声回路３８を介して、前記屋外アンテナユニット４０に内蔵されたスピーカ４５が電気的に接続されている。さらにまた、前記コントローラ３０は、前記コントローラ用ＣＰＵ３１に電気的に接続され、短押し（例えば、１秒程度）することにより、電子キー２の登録又は抹消を確定させる一方、長押し（例えば、２秒以上）することにより、ドア施解錠制御装置３を電子キー２の登録又は抹消を行うための登録・抹消モードとするための登録ボタン３９を備えている。
【００２７】
前記屋外アンテナユニット４０は、前記解錠状態報知用ＬＥＤ４３、施錠状態報知用ＬＥＤ４４、及びスピーカ４５に加えて、前記コントローラ用ＣＰＵ３１に電気的に接続され、送受信アンテナ４２を有する送受信回路４１を備えている。そして、この送受信回路４１は、コントローラ用ＣＰＵ３１から入力されるトランスポンダ起動用信号に基づいて前記起動用電波を生成し、送受信アンテナ４２を介して電子キー２に送信するようになっている。また、前記コントローラ３０は、前記コントローラ用ＣＰＵ３１に電気的に接続されるとともに玄関ドアに設けられ、当該玄関ドアの開閉状態をメカニカルな機構により検知するドア開閉検知センサ３３を備えており、当該ＣＰＵ３１は、このドア開閉検知センサ３３を介して玄関ドアの開閉状態（開放状態及び閉止状態）を認識可能となっている。そして、該ＣＰＵ３１は、玄関ドアが開放状態である場合に、開放状態信号を生成するとともに、玄関ドアが閉止態である場合に、閉止状態信号を生成する。そして、前記トランスポンダ起動用信号は、玄関ドアが閉止状態であることを条件として、コントローラ用ＣＰＵ３１から送受信回路４１に出力されるようになっている。尚、この玄関ドアの閉止状態には、前記した施錠状態及び解錠状態の両方の状態が含まれる。
【００２８】
この起動用電波は、前記送受信回路４１によって、玄関ドアの屋外側において屋外アンテナユニット４０を中心とした半径２ｃｍ〜５ｃｍの送信エリアに送信される。即ち、ユーザによって電子キー２が屋外アンテナユニット４０にかざされ、当該電子キーが前記送信エリア内に進入すると、この電子キー２は、前記起動用電波を受信し、該起動用電波の電磁力の作用によりトランスポンダ２１内で生成した電力を用いて自己のＩＤコードを含むＩＤコード信号を所定周波数（ここでは、ＬＦ帯）の電波に変調し、当該トランスポンダ２１を介して前記屋外アンテナユニット４０の送受信回路４１に送信する。
【００２９】
そして、この送受信回路４１は、このＩＤコード信号を送受信アンテナ４２を介して受信すると、それを復調して該ＩＤコード信号に対応する受信信号を生成し、コントローラ用ＣＰＵ３１に出力する。
【００３０】
すると、前記コントローラ用ＣＰＵ３１は、前記受信信号に含まれているＩＤコードが前記ＥＥＰＲＯＭ３２に記憶されたＩＤコードＡ〜Ｈのいずれかと一致しているか否かを判断する（以下、単に「ＩＤコード照合」という）。両ＩＤコードが一致している場合は、前記コントローラ用ＣＰＵ３１は、正規の電子キー２（電子キー２ａ〜２ｈのいずれか）が玄関ドアの施解錠に使用されている旨を認識するとともに、玄関ドアが施錠されている場合は当該玄関ドアを解錠すべく、前記モータドライバ３４，３５に解錠指令信号を出力する一方、玄関ドアが解錠されている場合は当該玄関ドアを施錠すべく、モータドライバ３４，３５に施錠指令信号を出力する。尚、ここで、コントローラ用ＣＰＵ３１は、ＩＤコード照合により両ＩＤコードが一致したとき、前記送受信回路４１から入力された受信信号に含まれているＩＤコードが、前記ＩＤコードＡ〜Ｈの内のいずれと一致しているかを判断することで、前記した電子キー２ａ〜２ｈの内のいずれが玄関ドアの施解錠に使用されたのかを特定するように構成している。このように、本実施形態では、コントローラ用ＣＰＵ３１は、電子キー２のＩＤコードが、前記ＥＥＰＲＯＭ３２に登録されているＩＤコードＡ〜Ｈのいずれかと一致したことを条件としてドアの施解錠を許可するドア施解錠制御手段として機能する。
【００３１】
そして、前記モータドライバ３４は、解錠指令信号が入力されると、メイン電動サムターン３６を解錠側へ駆動する一方、施錠指令信号が入力されると、メイン電動サムターン３６を施錠側へ駆動する。また、前記モータドライバ３５は、解錠指令信号が入力されると、サブ電動サムターン３７を解錠側へ駆動する一方、施錠指令信号が入力されると、サブ電動サムターン３７を施錠側へ駆動する。
【００３２】
そして、前記コントローラ用ＣＰＵ３１は、メイン電動サムターン３６の解錠状態検出スイッチ及びサブ電動サムターン３７の解錠状態検出スイッチがいずれもオンの状態となった場合は、玄関ドアが解錠されている旨を認識するとともに、解錠状態信号を生成する。これにより、コントローラ用ＣＰＵ３１は、玄関ドアの解錠が完了したことを認識し、屋外アンテナユニット４０の解錠状態報知用ＬＥＤ４３を５秒間点灯させるとともに、玄関ドアが施錠状態から解錠状態へ移行した旨、及び、解錠に使用された正規の電子キー２（電子キー２ａ〜２ｈのいずれか）の管理番号（１〜８のいずれか）を室内操作盤５０に通知する。
【００３３】
また、このように、前記コントローラ用ＣＰＵ３１は、玄関ドアの解錠が完了したことを認識すると、前記音声回路３８を介して屋外アンテナユニット４０のスピーカ４５を作動させ、例えば、「おかえりなさい。」等の音声メッセージを発する。
【００３４】
一方、前記コントローラ用ＣＰＵ３１は、メイン電動サムターン３６の施錠状態検出スイッチ及びサブ電動サムターン３７の施錠状態検出スイッチがいずれもオンの状態となった場合は、玄関ドアが施錠されている旨を認識するとともに、施錠状態信号を生成する。これにより、コントローラ用ＣＰＵ３１は、玄関ドアの施錠が完了したことを認識し、屋外アンテナユニット４０の施錠状態報知用ＬＥＤ４４を５秒間点灯させるとともに、玄関ドアが解錠状態から施錠状態へ移行した旨、及び、施錠に使用された正規の電子キー２（電子キー２ａ〜２ｈのいずれか）の管理番号（１〜８のいずれか）を室内操作盤５０に通知する。
【００３５】
また、このように、前記コントローラ用ＣＰＵ３１は、玄関ドアの施錠が完了したことを認識すると、前記音声回路３８を介して屋外アンテナユニット４０のスピーカ４５を作動させ、例えば、「いってらっしゃい。」等の音声メッセージを発する。
【００３６】
前記室内操作盤５０は、前記コントローラ用ＣＰＵ３１にシリアル通信により相互に通信可能に接続された室内操作盤用ＣＰＵ５１と、該室内操作盤用ＣＰＵ５１に電気的に接続され、各電子キー２のＩＤコードを登録又は抹消させるアドレスをユーザに選択的に指定させるアドレス指定手段としての８連ディップスイッチ（登録可否スイッチ）５６とを備えている。尚、この８連ディップスイッチは、各ディップスイッチのオンオフのいずれかの位置でその状態を示し、且つ、ユーザがそのオンオフ状態を目視で視認可能な所謂オンオフスイッチ（より具体的には、オルタネート式スイッチ）の形態を採っている。
【００３７】
詳しくは、図２を参照して、該８連ディップスイッチ５６の各ディップスイッチには、前記ＥＥＰＲＯＭ３２に設けられ、アドレス番号１〜８で標識された８個のアドレスが対応付けられている。そして、前記室内操作盤用ＣＰＵ５１がＩＤコード登録・抹消手段としてのコントローラ用ＣＰＵ３１と通信することによって、各アドレスに対応させたディップスイッチがオンの位置にあるときは、当該アドレスへの電子キー２のＩＤコードの登録又は抹消が許可される（可となる）一方、各アドレスに対応させたディップスイッチがオフの位置にあるときは、当該アドレスへの電子キー２のＩＤコードの登録又は抹消が禁止される（不可となる）。
【００３８】
具体的には、図２においては、アドレス番号が１，２，３，６，８のアドレスは、対応するディップスイッチがオンの位置にあり、電子キーのＩＤコードの登録又は抹消が許可されており、アドレス番号が４，５，７のアドレスは、対応するディップスイッチがオフの位置にあり、電子キーのＩＤコードの登録又は抹消が禁止されている。尚、図２に示すアドレス番号１〜８で標識されたアドレスには、それぞれ、電子キー２ｈ〜２ａのＩＤコードが登録されている。
【００３９】
図１に戻り、前記室内操作盤５０は、前記室内操作盤用ＣＰＵ５１に電気的に接続され、該ＣＰＵ３１から送信される玄関ドアの施解錠状態信号（施錠状態信号、解錠状態信号）に基づき、玄関ドアの施解錠状態を表示する施解錠状態報知用ＬＥＤ５２と、同ＣＰＵ３１から送信される玄関ドアの開閉状態信号（開放状態信号、閉止状態信号）に基づき、玄関ドアの開閉状態を表示する開閉状態報知用ＬＥＤ５３とを備えている。尚、施解錠状態報知用ＬＥＤ５２は、玄関ドアが解錠されていると点灯する一方、施錠されていると消灯するようになっており、また、開閉状態報知用ＬＥＤ５３は、玄関ドアが開放されていると点灯する一方、閉止されていると消灯するようになっている。
【００４０】
前記室内操作盤５０は、前記室内操作盤用ＣＰＵ５１に電気的に接続され、前記施解錠操作に使用された電子キー２の管理番号（１〜８のいずれか）を前記各アドレス毎に表示（報知）する報知手段としての７セグメントＬＥＤ５５，…を備えている。この７セグメントＬＥＤ５５，…は、図２を参照して、ＥＥＰＲＯＭ３２のアドレス番号１〜８で標識される各アドレスに対応付けて設けられている。例えば、解錠に電子キー２ａが使用された場合は、当該室内操作盤用ＣＰＵ５１は、前記コントローラ用ＣＰＵ３１との通信に基づき、電子キー２ａの管理番号１を、アドレス番号８のアドレスに対応する７セグメントＬＥＤ５５に表示する。以下同様に、電子キー２ｂ，…，２ｈが使用された場合は、それぞれ、電子キー２ｂ，…，２ｈの管理番号２，…，８を、アドレス番号７〜１のアドレスに対応する７セグメントＬＥＤ５５に表示する。これにより、ユーザは、いずれのアドレスにどの電子キーが登録済であるかを確実に認識できるようになっている。
【００４１】
尚、図１に示す前記室内操作盤５０は、室内操作盤用ＣＰＵ５１に電気的に接続され、玄関ドアを手動で施錠するための押しスイッチ５４が電気的に接続されている。例えば、住宅の居住者であるユーザは、正規の電子キー２を使用して玄関ドアの解錠を完了させ、玄関ドアを通って屋内に進入した後、さらに、玄関ドアが閉止状態であることを前記室内操作盤５０の開閉状態報知用ＬＥＤ５３によって確認した上で、押しスイッチ５４を操作することで玄関ドアを手動で施錠することができる。この玄関ドアの解錠が完了した時点で、解錠に使用された正規の電子キー２（２ｂ〜２ｈのいずれか）が７セグメントＬＥＤ５５に表示される。
【００４２】
このように押しスイッチ５４が操作されると、その旨が室内操作盤用ＣＰＵ５１からコントローラ用ＣＰＵ３１に通知され、該ＣＰＵ３１は、玄関ドアが施錠されている場合は当該玄関ドアを解錠すべく、モータドライバ３４，３５に解錠指令信号を出力する一方、玄関ドアが解錠されている場合は当該玄関ドアを施錠すべく、モータドライバ３４，３５に施錠指令信号を出力する。ここでは、玄関ドアは解錠されているので、コントローラ用ＣＰＵ３１は、玄関ドアを施錠すべく、モータドライバ３４，３５に施錠指令信号を出力することになる。その結果、モータドライバ３４によりメイン電動サムターン３６が施錠側へ駆動されるともに、モータドライバ３５によりサブ電動サムターン３７が施錠側へ駆動される。
【００４３】
そして、前記メイン電動サムターン３６の解錠状態検出スイッチ及びサブ電動サムターン３７の施錠状態検出スイッチがいずれもオンの状態となり、前記コントローラ用ＣＰＵ３１は、玄関ドアが施錠されている旨を認識する。これにより、コントローラ用ＣＰＵ３１は、玄関ドアの施錠が完了したことを認識し、屋外アンテナユニット４０の施錠状態報知用ＬＥＤ４４を５秒間点灯するとともに、解錠状態から施錠状態へ移行した旨を室内操作盤用ＣＰＵ５１に通知する。
【００４４】
さらに、前記室内操作盤用ＣＰＵ５１は、前記コントローラ用ＣＰＵ３１を介して玄関ドアの施錠が完了したことを認識すると、前記施解錠状態報知用ＬＥＤ５２を消灯することで玄関ドアが施錠状態であることを報知するとともに、前記７セグメントＬＥＤ５５を消灯する。
【００４５】
つまり、該７セグメントＬＥＤ５５による正規の電子キー２の管理番号の表示は、当該電子キー２が使用され、玄関ドアが解錠された時点から、押しスイッチ５４が使用され、玄関ドアが施錠される時点まで行われるようになっている。これにより、ユーザは、いずれのアドレスにどの電子キーが登録済であるかをさらに確実に認識できるようになっている。また、この７セグメントＬＥＤ５５は、押しスイッチ５４を有する室内操作盤５０に設けられていることから、ユーザは、押しスイッチ５４を操作する際に、前記７セグメントＬＥＤ５５，…による正規の電子キー２の管理番号の表示を必ず目にすることになる。
【００４６】
以下、図１〜図３を参照しながら、本実施形態のドア施解錠制御装置３に対して電子キー２のＩＤコードを登録する方法の一例について説明する。ここでは、図２のアドレス番号１〜３，６，８のアドレスに、それぞれ電子キー２ｈ〜２ｆ，電子キー２ｃ，電子キー２ａを登録する場合を想定する。尚、図２では、アドレス番号１〜３，６，８のアドレスには電子キー２が既に登録されているが、ここでは、当該各アドレスには電子キー２が登録されていない空の状態として説明する。
【００４７】
図２を参照して、先ず、アドレス番号１〜３，６，８で示されるアドレスのディップスイッチを全てオンとし、それ以外のアドレス番号４，５，７で示されるアドレスのディップスイッチを全てオフとする。
【００４８】
次に、図３のステップＳ１において、メイン電動サムターン３６及びサブ電動サムターン３７（図１参照）の解錠状態検出スイッチがいずれもオンの状態であり、玄関ドアが解錠状態且つ開放状態において、登録ボタン３９を長押し（例えば、２秒以上）する。すると、ドア施解錠制御装置３が登録・抹消モードとなる。このとき、前記コントローラ用ＣＰＵ３１に音声回路３８を介して接続されたスピーカ４５より、「キーの登録をします。登録するキーを順番にかざし、登録ボタンを押してください。抹消するときは、このまま登録ボタンを押してください。」（メッセージＭ１）のメッセージ（音声アナウンス）が流れる。
【００４９】
次に、ステップＳ２において、前記メッセージに従い、順次、登録をする電子キー２ｈ〜２ｆ，電子キー２ｃ，電子キー２ａを屋外アンテナユニット４０の送信エリアにかざす。このとき、前記スピーカ４５より、「Ｎ番目のキーをかざしてください。」（メッセージＭ２）とのメッセージが、電子キー２を順次かざしていくに従い、Ｎを１ずつ大きくしながら流れる。この場合、登録をする電子キー２（８連ディップスイッチ５６の内、オンのディップスイッチの数）は、全部で５個であるので、Ｎは、小さい順から１以上５以下の整数となる。
【００５０】
そして、ステップＳ３において、新たにかざされた電子キーのＩＤコードが、８連ディップスイッチ５６の内、ディップスイッチがオフとなっているアドレス（図２においては、アドレス番号４，５，７）に既に登録済のＩＤコード（ＩＤコードＥ，Ｄ，Ｂ）のいずれかと同一のＩＤコードでないか、或いは、既にかざし終えた電子キーのＩＤコードと同一でないかが判断される。そして、両ＩＤコードが同一であると判断された場合は、前記スピーカ４５より、「Ｘ番目のキーとして登録済です。」（メッセージＭ３）とのエラーメッセージが流れ、ステップＳ２から、電子キー２の登録操作がやり直しとなる。ここで、Ｘは、１以上５以下の整数の内のいずれかとなる。
【００５１】
一方、ステップＳ３において、両ＩＤコードが同一でないと判断された場合、即ち、電子キー２のＩＤコードの登録が重複なく行われていると判断された場合は、続くステップＳ４において、電子キー２（電子キー２ｈ〜２ｆ，電子キー２ｃ，電子キー２ａのいずれか）のＩＤコード（ＩＤコードＨ〜Ｆ，Ｃ，Ａのいずれか）が、対応するアドレスに順次記憶されていく。
【００５２】
次に、ステップＳ５において、電子キー２のＩＤコードを登録させるアドレスが残存している場合、即ち、かざし終えた電子キーの個数が５に満たないと判断された場合は、ステップＳ２において、電子キー２の登録（記憶）操作が継続される。
【００５３】
一方、ステップＳ５において、電子キー２のＩＤコードを登録させるアドレスが残存していない場合、即ち、かざし終えた電子キー２の個数が５となった場合は、前記スピーカ４５より、「登録ボタンを押してください。」（メッセージＭ４）とのメッセージが流れる。
【００５４】
そして、ステップＳ６において、ＩＤコード登録・抹消確定手段としての登録ボタン３９の操作により、電子キー２ｈ〜２ｆ，電子キー２ｃ，電子キー２ａの前記アドレス番号１〜３，５，８への登録が確定される。そして、これにより、一連の電子キー２の登録操作が終了する。
【００５５】
尚、上記一連の操作において、ＩＤコードを登録させる電子キー２の個数、即ち、屋外アンテナユニット４０の送信エリアにかざした電子キー２の本数が、８連ディップスイッチ５６の内、オンのディップスイッチの数（ここでは５個）よりも少ない状態で登録ボタン３９を操作した場合は、今回の一連の操作の中で新たに電子キー２の登録が行われることなく、対応するディップスイッチがオンとなった状態で残存したアドレスに登録済の電子キー２のＩＤコードがある場合には、そのＩＤコードの抹消が確定される。
【００５６】
また、新規に電子キー２のＩＤコードを登録するアドレスにおいて、８連ディップスイッチ５６の内、対応するディップスイッチがオンとなっており、しかもそのアドレスに既に電子キー２のＩＤコードが登録済の場合は、前記登録ボタン３９の操作により、その登録済のＩＤコードに新たなＩＤコードが上書きされた状態で登録が確定されるようになる。即ち、当該アドレスにおいては、ＩＤコードの更新が行われることになる。
【００５７】
さらに、８連ディップスイッチ５６の内、対応するディップスイッチをオフにしたアドレスについては、前記登録ボタン３９の操作がなされても、当該アドレスへの電子キー２のＩＤコードの登録はそのまま保持される。
【００５８】
以上説明したように、本実施形態のドア施解錠制御装置によれば、以下のような作用・効果を得ることができる。
（１）本実施形態では、一部の電子キー２（ＩＤコード）のみの登録又は抹消を望む場合において、８連ディップスイッチ５６によって、電子キー２の登録又は抹消を行うアドレスを予め指定しておくことで、一部の電子キー２のみの登録又は抹消を選択的に行うことができる。これにより、ＥＥＰＲＯＭ３２から一旦全ての電子キーの登録を抹消した後、改めて登録を行う全ての電子キー２を準備した上で、再登録する必要性がなくなる。また、８連ディップスイッチ５６によって、電子キー２の登録又は抹消を行うアドレスを予め指定しておくことで、複数のアドレスについて電子キー２の抹消又は登録を纏めて行うことができるようになる。これにより、各アドレス毎に電子キー２を逐次登録又は抹消させていく操作や、あるアドレスに既に登録されている電子キー２の変更（更新及び抹消）を望まないときには、ボタン操作等により当該アドレスをスキップする操作の煩わしさからも開放される。以上により、電子キー２の登録又は抹消を行う操作が簡単且つ確実に行えるようになる。
【００５９】
（２）本実施形態では、アドレス指定手段として、８連ディップスイッチ５６を用いるので、ディップスイッチをオンとしたアドレス、即ち、電子キー２（ＩＤコード）の登録又は抹消が可能なアドレスと、ディップスイッチをオフにしたアドレス、即ち、電子キー２の登録又は抹消が不可のアドレスとを容易且つ明瞭に識別して表示することができる。
【００６０】
（３）本実施形態では、ディップスイッチをオンにしたアドレスについては、電子キー２のＩＤコードを順次記憶させた後に登録ボタン３９を操作することにより当該記憶させたＩＤコードの登録を確定させる一方、前回登録済のＩＤコードの抹消を確定させることができる。このため、ＥＥＰＲＯＭ３２の各アドレスへの電子キー２の登録又は抹消の操作を一連の操作で簡単に行えるようになる。
【００６１】
（４）本実施形態では、ディップスイッチをオフにしたアドレスについては、登録ボタン３９の操作がなされても、当該アドレスへのＩＤコードの登録を保持させることができる。これにより、ＥＥＰＲＯＭ３２の各アドレスへの電子キー２の登録の保持が選択的且つ的確に行えるようになる。
【００６２】
（５）本実施形態では、ＥＥＰＲＯＭ３２の各アドレス毎に登録されている電子キー２の管理番号（１〜８のいずれか）が報知されるので、いずれのアドレスにどの電子キー２が登録済であるかを確実に認識できるようになる。このため、例えば、あるアドレスに登録済の電子キー２を誤って抹消してしまう誤操作を的確に防止できる。
【００６３】
（６）本実施形態では、電子キー２がドアの施解錠に使用される際に当該電子キー２の管理番号（１〜８のいずれか）が報知されるので、いずれのアドレスにどの電子キー２が登録済であるかをさらに確実に認識できるようになる。
【００６４】
尚、上記実施形態は以下のように変形してもよい。
・上記実施形態では、ＥＥＰＲＯＭ３２に電子キー２のＩＤコードを登録又は抹消させるＩＤコード登録・抹消手段としての機能と、電子キー２のＩＤコードが、ＥＥＰＲＯＭ３２に登録されているいずれかのＩＤコードと一致したことを条件としてドアの施解錠を許可するドア施解錠制御手段としての機能を一つのコントローラ用ＣＰＵ３１で実現するようにした。しかし、本発明の技術的思想はこれに限られず、例えば、電子キー２のＩＤコードを登録する不揮発性メモリとしてのＥＥＰＲＯＭ３２を室内操作盤用ＣＰＵ５１に電気的に接続し、前記ＩＤコード登録・抹消手段としての機能を当該室内操作盤用ＣＰＵ５１に実現させることも可能である。
【００６５】
・上記実施形態では、施解錠操作に使用された電子キー２の管理番号（１〜８のいずれか）をアドレス番号１〜８で標識された各アドレス毎に表示（報知）する報知手段としての７セグメントＬＥＤ５５，…を設けた。しかし、この報知手段としての７セグメントＬＥＤ５５，…は、他の手段、例えば、常に同じアドレスに同じ電子キー２を登録する場合は、電子キー２の管理番号を記したテープ等で代用させることもできる。さらには、そのような電子キー２の管理番号を各アドレス毎に報知する報知手段を設けることは、本発明の技術的思想においては、必ずしも必須の構成ではない。
【図面の簡単な説明】
【００６６】
【図１】本発明の実施形態に係るドア施解錠制御装置を備えるドア施解錠制御システムの構成を示すブロック図。
【図２】本発明の実施形態に係る８連ディップスイッチと電子キーを登録するアドレスとの対応を示す模式図。
【図３】本発明の実施形態に係るドア施解錠制御装置３に対して電子キー２のＩＤコードを登録する方法の処理フローを示すフローチャート図。
【符号の説明】
【００６７】
１…ドア施解錠制御システム、２…電子キー、３…ドア施解錠制御装置、３０…コントローラ、３１…コントローラ用ＣＰＵ、３２…ＥＥＰＲＯＭ、４０…屋外アンテナユニット、５０…室内操作盤、５１…室内操作盤用ＣＰＵ、５５…７セグメントＬＥＤ、５６…８連ディップスイッチ。
【図１】
0005038064.tif 000002
【図２】
0005038064.tif 000003
【図３】
0005038064.tif 000004